(57)【要約】【課題】ＩＣカードを搭載した小型電子機器においてカードリーダを内蔵した筐体の薄型化を図ることである。【解決手段】本発明に係る小型電子機器において、筐体１の内部に、電池室が形成されると共にカードリーダ６が設置され、該カードリーダ６には、ＩＣカードを載置すべきカードトレイ61が、引き出し位置と収容位置との間で往復移動可能に連結されている。ここで、電池室の底面となる電池設置面71と、カードリーダ６が設置されるべきカードリーダ設置面73とが、互いに隣接して形成されると共に、電池設置面71の端部には、引き出し位置のカードトレイ61が覆うこととなる領域に凹面72が形成され、カードリーダ設置面73は、凹面72よりも低く、凹面72とカードリーダ設置面73との境界部にはスロープ部74が形成されている。【選択図】図８
2008193631.tif 000002
【特許請求の範囲】
【請求項１】
筐体(１)の内部に、電池(９)を収容すべき電池室Ｒが形成されると共に、ＩＣカードから情報を読み取るためのカードリーダ(６)が設置され、該カードリーダ(６)には、ＩＣカードを載置すべきカードトレイ(61)が、電池室Ｒ側へ引き出された引き出し位置とカードリーダ(６)内に収容された収容位置との間で往復移動可能に連結されている小型電子機器において、
前記電池室Ｒの底面となる電池設置面(71)と、カードリーダ(６)が設置されるべきカードリーダ設置面(73)とが、互いに隣接して形成されると共に、電池設置面(71)の端部には、引き出し位置のカードトレイ(61)が覆うこととなる領域を凹ませてなる凹面(72)が形成され、カードリーダ設置面(73)は、凹面(72)よりも低く、凹面(72)とカードリーダ設置面(73)との境界部には、カードトレイ(61)の移動を案内するスロープ部(74)が形成されていることを特徴とする小型電子機器。
【請求項２】
前記電池設置面(71)にはラベル(19)が貼付され、前記スロープ部(74)は、断面山形の形状を有し、該形状の頂点は凹面(72)を覆うラベル(19)の表面と同一高さ若しくは僅かに高く、その頂点位置からカードリーダ設置面(73)側へ低く傾斜する斜面と、その頂点位置から凹面(72)まで落ち込む壁面とを有している請求項１に記載の小型電子機器。
【請求項３】
筐体(１)の内部にシャーシ(７)が設置され、該シャーシ(７)に、前記電池設置面(71)とカードリーダ設置面(73)が形成されると共に、前記スロープ部(74)が形成されている請求項１又は請求項２に記載の小型電子機器。
【発明の詳細な説明】
【技術分野】
【０００１】
本発明は、携帯電話機の如く携帯可能な小型電子機器に関するものである。
【背景技術】
【０００２】
近年、各種の情報を記録するためのＩＣカードを搭載した小型電子機器が開発されており、携帯電話機においては、ＩＣカードの１種であるＳＩＭ(Subscriber  Identity  Module)カードを搭載し、ＳＩＭカードに加入者情報を書き込むようにしたものが普及している。
【０００３】
この様な携帯電話機においては、筐体から電池蓋を取り外し、電池室から電池を取り出すことにより、ＳＩＭカードの脱着が可能となるものが一般的であり、ＳＩＭカードを筐体内のカードリーダにセットするために、カードリーダにトレイを連結して、該トレイを電池室側へ引き出した引き出し位置とカードリーダ内に収容した収容位置との間で、往復移動させるようにした携帯電話機が提案されている。
【特許文献１】特開２００４−２２２１７０号公報［H04M1/02］
【特許文献２】特開２００２−０５７７６７号公報［H04M1/02］
【特許文献３】特開２００５−３５２５８１号公報［G06K17/00］
【発明の開示】
【発明が解決しようとする課題】
【０００４】
ところで、携帯電話機においては益々小型化、薄型化に対する要求が厳しくなってきており、ＳＩＭカードを搭載した携帯電話機においては、カードリーダ設置のためのスペースが余分に必要となるため、特に薄型化のための工夫が必要となる。
【０００５】
しかしながら、トレイによってＳＩＭカードをカードリーダ内へ搬送する従来の携帯電話機においては、トレイを電池室の底面と同一高さ、若しくはより高い位置にて往復移動させる必要があるため、カードリーダの設置面は、トレイの高さ位置に応じて、電池室の底面よりも高いレベルに設けられることとなり、この結果、筐体内におけるカードリーダの位置が上方へシフトすることとなる。
【０００６】
従って、ＳＩＭカードを搭載した携帯電話機においては筐体の薄型化が困難である問題があった。
そこで本発明の目的は、ＳＩＭカード等のＩＣカードを搭載した小型電子機器においてカードリーダを内蔵した筐体の薄型化を図ることである。
【課題を解決するための手段】
【０００７】
本発明に係る小型電子機器においては、筐体(１)の内部に、電池(９)を収容すべき電池室Ｒが形成されると共に、ＩＣカードから情報を読み取るためのカードリーダ(６)が設置され、該カードリーダ(６)には、ＩＣカードを載置すべきカードトレイ(61)が、電池室Ｒ側へ引き出された引き出し位置とカードリーダ(６)内に収容された収容位置との間で往復移動可能に連結されている。
ここで、前記電池室Ｒの底面となる電池設置面(71)と、カードリーダ(６)が設置されるべきカードリーダ設置面(73)とは、互いに隣接して形成されると共に、電池設置面(71)の端部には、引き出し位置のカードトレイ(61)が覆うこととなる領域を凹ませてなる凹面(72)が形成され、カードリーダ設置面(73)は、凹面(72)よりも低く、凹面(72)とカードリーダ設置面(73)の境界部には、カードトレイ(61)の移動を案内するスロープ部(74)が形成されている。
【０００８】
上記本発明の小型電子機器によれば、電池設置面(71)よりも凹面(72)が低く、更に該凹面(72)よりもカードリーダ設置面(73)が低いので、電池設置面(71)とカードリーダ設置面(73)の高低差分だけ、従来よりもカードリーダ(６)を低い位置に設置することが出来る。
この場合、カードトレイ(61)は、収納位置から引き出し位置まで移動する際、カードリーダ設置面(73)から凹面(72)へ段差分だけ乗り上げる必要があるが、カードリーダ設置面(73)と凹面(72)との間にはスロープ部(74)が形成されているので、該スロープ部(74)による案内によってカードトレイ(61)の移動はスムーズに行なわれる。
【０００９】
具体的構成において、前記電池設置面(71)にはラベル(19)が貼付され、前記スロープ部(74)は、断面山形の形状を有し、該形状の頂点は凹面(72)を覆うラベル(19)の表面と同一高さ若しくは僅かに高く、その頂点位置からカードリーダ設置面(73)側へ低く傾斜する斜面と、その頂点位置から凹面(72)まで落ち込む壁面とを有している。
該具体的構成においては、電池設置面(71)にラベル(19)が貼付された状態においても、該ラベル(19)の表面はスロープ部(74)の頂点位置と同一若しくは僅かに低いので、カードトレイ(61)が収容位置から引き出し位置へ移動する過程で、先ずスロープ部(74)の前記斜面によってカードトレイ(61)の移動がガイドされ、その後、該カードトレイ(61)はスロープ部(74)の頂点を通過して、ラベル(19)の表面上へ支障無く移行することになる。
【００１０】
更に具体的な構成において、筐体(１)の内部にシャーシ(７)が設置され、該シャーシ(７)に、前記電池設置面(71)とカードリーダ設置面(73)が形成されると共に、前記スロープ部(74)が形成されている。
該具体的構成によれば、シャーシ(７)の一体成形によって電池設置面(71)とカードリーダ設置面(73)の相対的な高さ位置の関係が正確に規定されると共に、電池設置面(71)とカードリーダ設置面(73)との間には、両設置面(71)(73)を互いに繋ぐスロープ部(74)が精度良く形成されることになる。
【発明の効果】
【００１１】
本発明に係る小型電子機器によれば、筐体内のカードリーダの位置の低下によって筐体の薄型化を図ることが可能となる。
【発明を実施するための最良の形態】
【００１２】
以下、本発明をスライド式携帯電話機に実施した形態につき、図面に沿って具体的に説明する。
本発明に係るスライド式携帯電話機は、図１〜図３に示す如く、表面にディスプレイ(21)及び機能キー(22)が配備されたベース筐体(１)と、表面にテンキー(11)が配備されたスライド筐体(２)とから構成され、スライド筐体(２)は、図１及び図２に示す閉じ位置と図３に示す開き位置の間でスライドが可能である。
【００１３】
図４に示す如く、スライド筐体(２)は背面側ケース半体(23)と表面側ケース半体(24)から構成され、表面側ケース半体(24)の表面にディスプレイ(21)及び機能キー(22)が配備されている。
一方、ベース筐体(１)は背面側ケース半体(12)と表面側ケース半体(13)から構成され、表面側ケース半体(13)の表面にテンキー(11)が配備されている。
そして、スライド筐体(２)の背面側ケース半体(23)とベース筐体(１)の表面側ケース半体(13)の間に、スライド機構(３)が介在している。
【００１４】
スライド機構(３)は、図５及び図６に示す如く、ベース筐体(１)の表面側ケース半体(13)に連結される第１プレート部材(32)と、スライド筐体(２)の背面側ケース半体(23)に連結される第２プレート部材(33)と、両プレート部材(32)(33)間に介在してスライド筐体(２)を中間位置から閉じ位置及び開き位置の両方向へ向けて付勢するバネ(31)とを具え、第１プレート部材(32)の両側部が第２プレート部材(33)の両側部に摺動可能に係合して、両プレート部材(32)(33)のスライド方向の相対移動が許容されると共に、スライド方向とは直交する方向の離間が阻止されている。
【００１５】
図４に示す如く、ベース筐体(１)の表面側ケース半体(13)の表面には、スライド筐体(２)と対向位置に、左右に伸びるリブ(18)が突設されると共に、該リブ(18)に沿って楔状の弾性部材(８)が配備されている。
一方、スライド筐体(２)の背面側ケース半体(23)の背面には、図５及び図６に示す如く、ベース筐体(１)との対向位置に、左右に伸びるリブ状の凸部(25)が形成されている。
【００１６】
スライド筐体(２)が開き位置から閉じ位置までスライドする過程で、スライド筐体(２)の凸部(25)はベース筐体(１)の弾性部材(８)に接近し、スライド筐体(２)が閉じ位置に達した状態では、スライド筐体(２)の凸部(25)がベース筐体(１)の弾性部材(８)の表面に乗り上げて、該表面に摺接することになる。これによって、弾性部材(８)が厚さ方向に収縮して、その弾性反発力によって弾性部材(８)の表面が凸部(25)を上方に押圧し、ベース筐体(１)とスライド筐体(２)の間の係合状態での遊びを吸収する。
この結果、スライド筐体(２)は、ベース筐体(１)に対してガタツキを生じることなく閉じ位置に保持されることになる。
【００１７】
ベース筐体(１)には、図７に示す如く背面側ケース半体(12)と表面側ケース半体(13)との間に、複数の電子部品(15)が実装された回路基板(14)と、該回路基板(14)を保持する樹脂製のシャーシ(７)とが配備される。
又、回路基板(14)の表面には、回路基板(14)上の通信機能に関わる複数の電子部品(15)を覆って、ＳＵＳ製のシールドカバー(４)が実装されている。
【００１８】
更に、回路基板(14)の表面には、前記シールドカバー(４)を覆って、ＳＵＳ製の補強板(５)が配備され、該補強板(５)は、シールドカバー(４)と同様に回路基板(14)上のグランド電位部(図示省略)に接続されている。
尚、シールドカバー(４)の表面には、その端部にクッション部材(41)が取り付けられており、該クッション部材(41)によって補強板(５)との間隙が調整されている。
【００１９】
補強板(５)の表面は、表面側ケース半体(13)の内面に設置されているキーシート(図示省略)と対向しており、表面側ケース半体(13)の表面に配備されている複数のテンキー(11)の押圧操作に伴う押圧力を受け止めることが可能となっている。
【００２０】
ベース筐体(１)の背面側ケース半体(12)は、図８に示す様に電池(９)を収容するための開口(12a)を有し、該開口(12a)を覆って電池蓋(17)が取り付けられる。背面側ケース半体(12)の背面には、カメラ窓(16a)を有する背面カバー(16)が取り付けられる。
【００２１】
又、ベース筐体(１)の内部には、シャーシ(７)上に、ＳＩＭカード(60)を読み取るためのカードリーダ(６)と、ＳＩＭカード(60)をカードリーダ(６)内へ移送するためのカードトレイ(61)とが設置される。
シャーシ(７)の背面には、電池(９)を設置するための電池設置面(71)が形成されると共に、該電池設置面(71)には、カードリーダ設置面(73)へ繋がる領域に、カードトレイ(61)の摺動を案内する凹面(72)が形成されている。
電池設置面(71)及び凹面(72)には、ラベル(19)が貼付される。
【００２２】
ここで凹面(72)は、電池設置面(71)よりも僅かに低い位置に形成され、カードリーダ設置面(73)は、凹面(72)よりも更に低い位置に形成されている。
そして、凹面(72)とカードリーダ設置面(73)との境界位置には、凹面(72)とカードリーダ設置面(73)とを繋ぐスロープ部(74)が形成されている。該スロープ部(74)は、図１２(ａ)に示す様に、断面山形に形成され、その頂点は凹面(72)に貼付されたラベル(19)の表面よりも僅かに高く、その頂点位置からカードリーダ設置面(73)側へ低く緩やかに傾斜する斜面(74a)と、その頂点位置から凹面(72)まで略垂直に落ち込む壁面(74b)とを有している。
【００２３】
図９〜図１１は、カードトレイ(61)がカードリーダ(６)内の収容位置から凹面(72)上の引き出し位置まで引き出される様子を表わしている。
図９に示す如く、カードトレイ(61)がカードリーダ(６)内に収容されている状態では、図１２(ａ)の如くカードトレイ(61)はカードリーダ設置面(73)上に位置して、その端部がシャーシ(７)のスロープ部(74)の斜面(74a)に摺接している。
【００２４】
この状態から図１０に示す如くカードトレイ(61)が引き出される過程で、カードトレイ(61)はシャーシ(７)のスロープ部(74)の斜面上を摺動して、スロープ部(74)の上に乗り上げ、凹面(72)側へ移行する。
この様にカードトレイ(61)が凹面(72)側へ移行する際、図１２(ｂ)に示す様に、スロープ部(74)の頂点の高さは凹面(72)に貼付されているラベル(19)の表面よりも僅かに高いので、カードトレイ(61)がラベル(19)の端縁と干渉することはない。
【００２５】
更にカードトレイ(61)が凹面(72)側へ引き出されて、図１１に示す如く引き出し位置に達した状態では、カードトレイ(61)は、スロープ部(74)により、カードリーダ(６)側の端部を支点として押し上げられ(図１２(ｃ)参照)、収容室Ｒ側の端部が僅かに浮上して、傾斜することになるが、電池室Ｒには電池が存在しないので、カードトレイ(61)の傾動に支障はない。
【００２６】
カードトレイ(61)が凹面(72)上の引き出し位置からカードリーダ(６)内の収容位置へ押し込まれる過程では、カードトレイ(61)は、図１１及び図１２(ｃ)に示す如くスロープ部(74)に摺接した状態から、図１０及び図１２(ｂ)に示す様にスロープ部(74)上を摺動し、更にスロープ部(74)の斜面を下って、図９及び図１２(ａ)に示す如くカードリーダ設置面(73)上に収容されることになる。この状態でカードトレイ(61)上のカード(60)は、カードリーダ(６)による情報の読み取りが可能となる。
斯くして、カードトレイ(61)は、凹面(72)上に引き出された引き出し位置と、カードリーダ(６)内へ収容された収容位置との間で、スムーズに往復移動することになる。
【００２７】
本発明に係るスライド式携帯電話機によれば、電池設置面(71)よりも凹面(72)が低く、更に該凹面(72)よりもカードリーダ設置面(73)が低いので、電池設置面(71)とカードリーダ設置面(73)の高低差分だけ、従来よりもカードリーダ(６)を低い位置に設置することが出来る。従って、ベース筐体(１)内のカードリーダ(６)の位置の低下分だけベース筐体(１)の薄型化を図ることが可能となる。
【００２８】
又、シールドカバー(４)によって覆われている電子部品(15)は補強板(５)によっても覆われて、シールドカバー(４)と補強板(５)の両方によるシールドが施されることとなり、従来のシールドシャーシによるシールドと同等、若しくはそれ以上のシールド効果を得ることが出来る。
【００２９】
更に、従来のシールドシャーシに代わるシールドカバー(４)と補強板(５)によるシールド構造においては、シールドカバー(４)と補強板(５)がそれぞれＳＵＳ製の金属板から形成されているために肉厚の小さなものを採用することが可能であり、これによって、従来のシールドシャーシを用いた構造よりもベース筐体(１)の薄型化が図られている。
【図面の簡単な説明】
【００３０】
【図１】本発明に係るスライド式携帯電話機を表面側から見た斜視図である。
【図２】該スライド式携帯電話機を背面側から見た斜視図である。
【図３】該スライド式携帯電話機の開き状態を示す斜視図である。
【図４】該スライド式携帯電話機を分解した状態を表面側から見た斜視図である。
【図５】該スライド式携帯電話機を分解した状態を背面側から見た斜視図である。
【図６】スライド筐体の背面を示す斜視図である。
【図７】ベース筐体を分解した状態を表面側から見た斜視図である。
【図８】ベース筐体を分解した状態を背面側から見た斜視図である。
【図９】トレイ収容状態におけるにおけるベース筐体の断面図である。
【図１０】トレイ引き出し過程におけるベース筐体の断面図である。
【図１１】トレイ引き出し状態におけるベース筐体の断面図である。
【図１２】シャーシのスロープ部の作用を示す一連の要部断面図である。
【符号の説明】
【００３１】
(１)  ベース筐体
(11)  テンキー
(12)  背面側ケース半体
(13)  表面側ケース半体
(２)  スライド筐体
(21)  ディスプレイ
(23)  背面側ケース半体
(24)  表面側ケース半体
(25)  凸部
(３)  スライド機構
(14)  回路基板
(15)  電子部品
(４)  シールドカバー
(５)  補強板
(６)  カードリーダ
(61)  カードトレイ
(７)  シャーシ
(71)  電池設置面
(72)  トレイ案内面
(73)  カードリーダ設置面
(74)  スロープ部
(８)  弾性部材
(９)  電池
【図１】
2008193631.tif 000003
【図２】
2008193631.tif 000004
【図３】
2008193631.tif 000005
【図４】
2008193631.tif 000006
【図５】
2008193631.tif 000007
【図６】
2008193631.tif 000008
【図７】
2008193631.tif 000009
【図８】
2008193631.tif 000010
【図９】
2008193631.tif 000011
【図１０】
2008193631.tif 000012
【図１１】
2008193631.tif 000013
【図１２】
2008193631.tif 000014